(57)【要約】【課題】充電等に関する規格の異なる接続部を有する携帯端末に対して兼用することが出来る電気コネクタを提供することである。【解決手段】電気コネクタ１０は、並んで配置される複数の接触子を含む第１接触部１２と、並んで配置される複数の接触子を含み、第１接触部１２とは異なる配置がなされる第２接触部１４と、略矩形形状の孔部を有する略矩形形状の端子配置部１６と、を備え、第１接触部１２は、孔部１８が位置する端子配置部１６の内側面に配置され、第２接触部１４は、端子配置部１６の外側面に配置されている。【選択図】図１
0003214458.tif 000002
【実用新案登録請求の範囲】
【請求項１】
並んで配置される複数の接触子を含む第１接触部と、
並んで配置される複数の接触子を含み、前記第１接触部とは異なる配置がなされる第２接触部と、
略矩形形状の孔部を有する略矩形形状の端子配置部と、
を備え、
前記第１接触部は、前記孔部が位置する前記端子配置部の内側面に配置され、
前記第２接触部は、前記端子配置部の外側面に配置されていることを特徴とする電気コネクタ。
【請求項２】
請求項１に記載の電気コネクタにおいて、
前記端子配置部は、
前記孔部の短手方向に沿って略平行に設けられる板状の第１短手部及び第２短手部と、
前記孔部の長手方向に沿って略平行に設けられる板状の第１長手部及び第２長手部からなり、
前記第１接触部及び前記第２接触部は、第１長手部及び第２長手部のいずれか一方に設けられていることを特徴とする電気コネクタ。
【請求項３】
請求項１または請求項２に記載の電気コネクタにおいて、
前記端子配置部に嵌合可能な開口部と前記端子配置部の前記孔部に嵌合可能な舌状の突起部とを有し、前記突起部に前記第１接触部に接続可能な複数の接触子を有する第１携帯端末と、
前記端子配置部に嵌合可能な開口部を有し、該開口部に第２接触部に接続可能な複数の接触子を有する第２携帯端末のいずれにも電力供給源からの充電用電力を送電可能とすることを特徴とする電気コネクタ。
【考案の詳細な説明】
【技術分野】
【０００１】
本考案は、電気コネクタに関する。
【背景技術】
【０００２】
近年、スマートフォンやタブレットなどの携帯端末が普及している。スマートフォンなどには様々な機種が存在するが、大きく２つのグループに大別される。１つは米国アップル社によって開発されたｉＯＳ（アイオーエス）（登録商標）と呼ばれるプラットフォームを有する端末と、もう一方は米国グーグル社によって開発されたＡｎｄｒｏｉｄ（アンドロイド）（登録商標）と呼ばれるプラットフォームを有する端末がある。
【０００３】
本考案に関連する技術として、例えば、特許文献１には、本体と、前記本体から離れるように延びるコネクタタブであって、該コネクタタブが、幅、高さ、及び長さ次元を有し、かつ該コネクタタブの形状を定める導電フレームを含み、該導電フレームが、該幅及び長さ次元に延びる第１及び第２の対向側面と、該高さ及び長さ次元に該第１及び第２の側面の間を延びる第３及び第４の対向側面とを有し、該第１の側面が、第１の開口部を有し、該第２の側面が、該第１の開口部の正反対側に第２の開口部を有する前記コネクタタブと、前記導電フレームの前記第１の開口部に形成された第１の接点領域に前記コネクタタブによって担持された第１の複数の外部接点であって、誘電材料が、該第１の複数の接点の各々を隣接する接点からかつ該導電フレームから分離する前記第１の複数の外部接点と、前記導電フレームの前記第２の開口部に形成された第２の接点領域に前記タブによって担持された第２の複数の外部接点であって、該第２の複数の接点における各接点が、前記第１の複数の接点における接点の正反対側に配置され、誘電材料が、該第２の複数の接点の各々を隣接する接点からかつ該導電フレームから分離する前記第２の複数の外部接点と、を含むことを特徴とするプラグコネクタが開示されている。
【先行技術文献】
【特許文献】
【０００４】
【特許文献１】特表２０１３−５３２３５１号公報
【考案の概要】
【考案が解決しようとする課題】
【０００５】
ｉＯＳ用とＡｎｄｒｏｉｄ用とでは、充電ケーブルの接続口など充電に関する規格が異なる。このため、例えば、商用電源などを用いて充電を行う場合、２種類の充電ケーブルが必要となり、ｉＯＳ用とＡｎｄｒｏｉｄ用の両方のスマートフォンやタブレットを充電する場合に２種類の充電ケーブルを差し替えて使う必要があり不便である。
【０００６】
本考案の目的は、充電等に関する規格の異なる接続部を有する携帯端末に対して兼用することが出来る電気コネクタを提供することである。
【課題を解決するための手段】
【０００７】
本考案に係る電気コネクタは、並んで配置される複数の接触子を含む第１接触部と、並んで配置される複数の接触子を含み、前記第１接触部とは異なる配置がなされる第２接触部と、略矩形形状の孔部を有する略矩形形状の端子配置部と、を備え、前記第１接触部は、前記孔部が位置する前記端子配置部の内側面に配置され、前記第２接触部は、前記端子配置部の外側面に配置されていることを特徴とする。
【０００８】
また、本考案に係る電気コネクタにおいて、前記端子配置部は、前記孔部の短手方向に沿って略平行に設けられる板状の第１短手部及び第２短手部と、前記孔部の長手方向に沿って略平行に設けられる板状の第１長手部及び第２長手部からなり、前記第１接触部及び前記第２接触部は、第１長手部及び第２長手部のいずれか一方に設けられていることが好ましい。
【０００９】
また、本考案に係る電気コネクタにおいて、前記端子配置部に嵌合可能な開口部と前記端子配置部の前記孔部に嵌合可能な舌状の突起部とを有し、前記突起部に前記第１接触部に接続可能な複数の接触子を有する第１携帯端末と、前記端子配置部に嵌合可能な開口部を有し、該開口部に第２接触部に接続可能な複数の接触子を有する第２携帯端末のいずれにも電力供給源からの充電用電力を送電可能とすることが好ましい。
【考案の効果】
【００１０】
本考案によれば、第１接触部と該第１接触部とは異なる配置がなされる第２接触部の双方が設けられている。これにより、充電等に関する規格の異なる接続部を有する携帯端末に対して兼用することが出来る。
【図面の簡単な説明】
【００１１】
【図１】図１は、本考案に係る実施形態の電気コネクタを示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、電気コネクタ１０を示す図である。図１（ａ）は、電気コネクタ１０の正面図である。図１（ｂ）は、電気コネクタ１０の平面図である。図１（ｃ）は、電気コネクタ１０の底面図である。
【００１４】
図１（ｄ）は、電気コネクタ１０の右側面図である。図１（ｅ）は、電気コネクタ１０の背面図である。図１（ｆ）は、背面側から見た電気コネクタ１０の斜視図である。図１（ｇ）は、正面側から見た電気コネクタ１０の斜視図である。
【００１５】
最初に本考案の構成要素ではないが、電気コネクタ１０の接続対象であるＡｎｄｒｏｉｄ用のスマートフォンとｉＯＳ用のスマートフォンについて説明する。
【００１６】
Ａｎｄｒｏｉｄ用のスマートフォンは、充電ケーブルの先端に設けられた端子配置部１６に嵌合可能な開口部（接続部）が設けられている。開口部の中央部には、端子配置部１６の孔部１８に嵌合可能な舌状の突起部が形成されている。突起部には第１接触部１２に接続可能な複数の接触子を有する。
【００１７】
ｉＯＳ用のスマートフォンは、充電ケーブルの先端に設けられた端子配置部１６に嵌合可能な開口部（接続部）が設けられている。この開口部に第２接触部１４に接続可能な複数の接触子を有している。
【００１８】
ここで、Ａｎｄｒｏｉｄ用のスマートフォンの開口部の形状は略台形であり、ｉＯＳ用のスマートフォンの開口部の形状は略矩形であって形状は異なるが、幅について略同一であるように設定されている。
【００１９】
電気コネクタ１０は、充電ケーブルの先端部に設けられる充電用接続端子を備えるコネクタである。電気コネクタ１０は、ｉＯＳ用のスマートフォンとＡｎｄｒｏｉｄ用のスマートフォンの双方に接続可能であり、双方に充電用電力を供給可能な機能を有している。なお、ここでは、電気コネクタ１０は、充電用接続端子を備えたコネクタであるものとして説明するが、その他の用途のための接続端子を備えてもよく、例えば、通信用の端子を設けてもよい。
【００２０】
電気コネクタ１０は、第１接触部１２と、第２接触部１４と、端子配置部１６と、回路部２０とを備えている。
【００２１】
端子配置部１６は、略矩形形状の孔部１８を有する略矩形形状を有する端子ケースである。端子配置部１６は、孔部１８の短手方向に沿って略平行に設けられる板状の第１短手部１７ａ及び第２短手部１７ｂと、孔部１８の長手方向に沿って略平行に設けられる板状の第１長手部１７ｃ及び第２長手部１７ｄで構成されて、ロの字を形成している。
【００２２】
端子配置部１６には、第２長手部１７ｄにおいて孔部１８が位置する内側面に第１接触部１２が配置されている。また、端子配置部１６には、第２長手部１７ｄにおいて内側面とは反対側に位置する外側面に第２接触部１４が配置されている。端子配置部１６は、適度な強度を有する材質で構成されていることが好ましい。
【００２３】
端子配置部１６は、Ａｎｄｒｏｉｄ用のスマートフォンとｉＯＳ用のスマートフォンの双方の充電用の開口部に嵌合可能な形状を有している。上述したようにＡｎｄｒｏｉｄ用のスマートフォンとｉＯＳ用のスマートフォンの開口部の幅は略同一であるため、端子配置部１６も同じ幅に設定している。また、孔部１８は、Ａｎｄｒｏｉｄ用のスマートフォンの開口部内の舌状の突起部に嵌合可能に設定されている。
【００２４】
第１接触部１２は、並んで配置される複数の接触子で構成されている。ここでは、第１接触部１２は、Ａｎｄｒｏｉｄ用のスマートフォンの充電に関する規格（Ｍｉｃｒｏ−ＵＳＢ）に対応している。第１接触部１２は、導電性に優れた材質で構成されている。
【００２５】
第２接触部１４は、並んで配置される複数の接触子で構成されている。ここでは、第２接触部１４は、ｉＯＳ用のスマートフォンの充電に関する規格（Ｌｉｇｈｔｎｉｎｇ）に対応している。第２接触部１４は、導電性に優れた材質で構成されている。
【００２６】
回路部２０は、電気コネクタ１０を有する充電ケーブルの基端部に接続される商用電源などから得られる充電用電力を電力変換する変換回路などが設けられている。また、回路部２０は、商用電源から得られた充電用電力を伝送し、第１接触部１２及び第２接触部１４に充電用電力を供給可能としている。
【００２７】
続いて、上記構成の電気コネクタ１０の作用について説明する。Ａｎｄｒｏｉｄ用のスマートフォンとｉＯＳ用のスマートフォンの双方を充電する必要性がある場合がある。
【００２８】
このとき、電気コネクタ１０の端子配置部１６をＡｎｄｒｏｉｄ用のスマートフォンの開口部に嵌合させると、開口部内の突起部が端子配置部１６の孔部１８と嵌合する。このとき、突起部に配置された複数の接触子と第１端子部１２の複数の接触子とが接続状態となり導通する。
【００２９】
そして、電気コネクタ１０の充電ケーブルを商用電源に接続すると、商用電源から供給される充電用電力をＡｎｄｒｏｉｄ用のスマートフォンに伝送して充電させることができる。
【００３０】
その後、ｉＯＳ用のスマートフォンを充電する場合は、Ａｎｄｒｏｉｄ用のスマートフォンに嵌合された端子配置部１６を取り外して、ｉＯＳ用のスマートフォンの開口部に嵌合させる。このとき、開口部に配置された複数の接触子と第２端子部の複数の接触子とが接続状態となり導通し、商用電源から供給される充電用電力をＡｎｄｒｏｉｄ用のスマートフォンに伝送して充電させることができる。
【００３１】
このように、電気コネクタ１０を充電に用いることで、ｉＯＳ用のスマートフォンとＡｎｄｒｏｉｄ用のスマートフォンの双方に充電することが出来るため、１本の充電ケーブルを準備するだけでよくユーザーによって利便性を高めることができるという利点がある。
【符号の説明】
【００３２】
１０  電気コネクタ、１２  第１接触部、１４  接触部、１６  端子配置部、１７ａ  第１短手部，１７ｂ  第２短手部，１７ｃ  第１長手部，１７ｄ  第２長手部，１８  孔部、２０  回路部。
【図１】
0003214458.tif 000003